(57)【要約】【課題】撮影されて保存されている患者の撮影画像から、ＨＤＲ変換した画像を生成して、比較できる医用撮影装置を提供する。【解決手段】  皮膚病変を診断する医療用皮膚検査装置であって、ダーモスコープ１１を介して撮像されたダーモスコピー構造物に係るオリジナルな第１の皮膚画像を記憶する第１の記憶部４１と、第１の皮膚画像に対してハイダイナミックレンジ（ＨＤＲ）変換処理を行って、ダーモスコピー構造物が明瞭化かつ顕在化された第２の皮膚画像を得る画像変換部６と、第２の皮膚画像を記憶する第２の記憶部４２と、第１の皮膚画像及び第２の皮膚画像の少なくとも一方を表示するように制御する表示制御部７ｂと、を備える。【選択図】  図３
2015164512.tif 000002
【特許請求の範囲】
【請求項１】
皮膚病変を診断する医療用皮膚検査装置であって、
ダーモスコープを介して撮像されたダーモスコピー構造物に係るオリジナルな第１の皮膚画像を記憶する第１の記憶部と、
前記第１の皮膚画像に対してハイダイナミックレンジ（ＨＤＲ）変換処理を行って、前記ダーモスコピー構造物が明瞭化かつ顕在化された第２の皮膚画像を得る画像変換部と、
前記第２の皮膚画像を記憶する第２の記憶部と、
前記第１の皮膚画像及び前記第２の皮膚画像の少なくとも一方を表示するように制御する表示制御部と、
を備えることを特徴とする医療用皮膚検査装置。
【請求項２】
前記画像変換部が、
前記第１の皮膚画像の１枚の画像に対してハイダイナミックレンジ（ＨＤＲ）変換処理を行って、前記ダーモスコピー構造物が明瞭化かつ顕在化された第２の皮膚画像を得ることを特徴とする請求項１に記載の医療用皮膚検査装置。
【請求項３】
前記画像変換部が、
前記第１の皮膚画像の１枚の画像の画素値に対して平滑化処理及び解像度変換処理を繰り返し施し、複数段階の画素値を生成する第１の生成手段と、
前記第１の皮膚画像の画素値と前記第１の生成手段により生成された段階ごとの画素値との差分に基づいて、段階ごとに前記第１の皮膚画像の画素値を補正する補正手段と、
前記補正手段によって補正された画素値を有する段階ごとの解像度に応じた高周波数成分を利用して、前記第１の皮膚画像の画素値が強調された前記第２の皮膚画像を構成するよう制御する制御手段と、
を備えることを特徴とする請求項１または２に記載の医療用皮膚検査装置。
【請求項４】
前記第１の記憶部が前記第１の皮膚画像として既に撮像されカルテとして保存されていた過去の画像を記憶し、
前記画像変換部が当該過去の画像を用いてハイダイナミックレンジ（ＨＤＲ）変換処理を行う
ことを特徴とする請求項１ないし３のいずれか１項に記載の医療用皮膚検査装置。
【請求項５】
さらに、前記ダーモスコープに接続された撮像部を備え、
前記第１の記憶部が前記第１の皮膚画像として前記撮像部により撮像された現在の画像を記憶し、
前記画像変換部が当該現在の画像を用いてハイダイナミックレンジ（ＨＤＲ）変換処理を行う
ことを特徴とする請求項１ないし４のいずれか１項に記載の医療用皮膚検査装置。
【請求項６】
前記表示制御部が前記第１の皮膚画像及び前記第２の皮膚画像の双方を並置して表示するように制御することを特徴とする請求項１ないし５のいずれか１項に記載の医療用皮膚検査装置。
【請求項７】
前記表示制御部が前記第１の皮膚画像及び／又は前記第２の皮膚画像を前記ダーモスコピー構造物の病変進行に合わせ時系列的に表示するように制御することを特徴とする請求項１ないし６のいずれか１項に記載の医療用皮膚検査装置。
【請求項８】
前記第２の皮膚画像が前記第１の皮膚画像と対応付けられて記憶されることを特徴とする請求項１ないし７のいずれか１項に記載の医療用皮膚検査装置。
【請求項９】
皮膚病変を検査する方法であって、
ダーモスコープを介して撮像されたダーモスコピー構造物に係るオリジナルな第１の皮膚画像を記憶する第１の記憶工程と、
前記第１の皮膚画像に対してハイダイナミックレンジ（ＨＤＲ）変換処理を行って、前記ダーモスコピー構造物が明瞭化かつ顕在化された第２の皮膚画像を得る画像変換工程と、
前記第２の皮膚画像を記憶する第２の記憶工程と、
前記第１の皮膚画像及び前記第２の皮膚画像の少なくとも一方を表示するように制御する表示制御工程とを含むことを特徴とする方法。
【請求項１０】
皮膚病変を検査するプログラムであって、
コンピュータを、
ダーモスコープを介して撮像されたダーモスコピー構造物に係るオリジナルな第１の皮膚画像を記憶する第１の記憶手段と、
前記第１の皮膚画像に対してハイダイナミックレンジ（ＨＤＲ）変換処理を行って、前記ダーモスコピー構造物が明瞭化かつ顕在化された第２の皮膚画像を得る画像変換手段と、
前記第２の皮膚画像を記憶する第２の記憶手段と、
前記第１の皮膚画像及び前記第２の皮膚画像の少なくとも一方を表示するように制御する表示制御手段として機能させることを特徴とするプログラム。
【請求項１１】
請求項２記載の医療用皮膚検査装置であって、
前記画像変換部は、
前記前記第１の皮膚画像を入力し、輝度成分と色成分に分離する第１の分離部と、
前記分離された輝度成分を骨格部分と詳細部分に分離する第２の分離部と、
前記骨格成分を圧縮する圧縮部と、
前記詳細成分を強調する第１の強調部と、
前記骨格成分が圧縮部された輝度成分と前記詳細成分が強調された輝度成分を合成する第１の合成部と、
を具備することを特徴とする医療用皮膚検査装置。
【請求項１２】
前記画像変換部は、
前記分離された色情報成分を、前記第１の合成部で合成された輝度成分と合成して前記第２の皮膚画像を得る第２の合成部を更に備えることを特徴とする請求項１１記載の医療用皮膚検査装置。
【請求項１３】
前記画像変換部は、
前記分離された色情報成分を、振幅を強調する第２の強調部に入力し、この強調された色情報成分を前記第１の合成部で合成された輝度成分と合成して前記第２の皮膚画像を得る第２の合成部を更に備えることを特徴とする請求項１１記載の医療用皮膚検査装置。
【請求項１４】
前記第１の強調部は、入力された信号の振幅を線形に伸張するように構成され、前記第２の強調部は、入力された信号の振幅を非線形に伸張するように構成されていることを特徴とする請求項１３記載の医療用皮膚検査装置。
【請求項１５】
前記画像変換部の前記第１の分離部は、前記入力した第１の皮膚画像を、ＲＧＢ色空間からＣＩＥＬａｂ色空間に変換する第１の色空間変換部を備え、ＣＩＥＬａｂ色空間のＬ軸を輝度成分として前記第２の分離部に入力することを特徴とする請求項１１記載の医療用皮膚検査装置。
【請求項１６】
前記画像変換部の前記第２の合成部は、ＣＩＥＬａｂ色空間からＲＧＢ色空間に変換する第２の色空間変換部から構成されることを特徴とする請求項１１記載の医療用皮膚検査装置。
【発明の詳細な説明】
【技術分野】
【０００１】
本発明は、医用機器に関し、特にダーモスコピー用の医療用皮膚検査装置に関する。
【背景技術】
【０００２】
皮膚科領域において、ダーモスコピーは、色素性皮膚疾患の診断に重要な位置を占めるようになった。ダーモスコピーとは、表皮及び真皮浅層の色調の分布と構造を観察する検査法であり、ダーモスコープを用いて患部を観察する。従来、このダーモスコープを用いて撮影した画像に画像処理を施し、皮膚の異常を見極めやすくする画像処理アルゴリズムが提案されている（例えば、特許文献１参照）。
【先行技術文献】
【特許文献】
【０００３】
【特許文献１】米国特許７６８９０１６号明細書
【発明の概要】
【発明が解決しようとする課題】
【０００４】
ところで、ダーモスコピー画像から、皮膚癌、あるいは悪性腫等、皮膚疾患のダーモスコピー構造物に関する所見を得ようとした場合、例えば、特許文献１に開示された技術を用いたとしてもダーモスコピー画像のより多くの構造を正確に理解して所見として把握することは、診断スキルが未熟な医師にとっては非常に困難な作業を伴う。このため、医師の診断スキルの有無に依存することなく容易にダーモスコピー画像の所見を得ることができる医療用皮膚検査装置の出現が望まれていた。
【０００５】
そこで、本発明の目的は、医師の診断スキルの有無に依存することなく容易にダーモスコピー画像の所見を得ることができる医療用皮膚検査装置を提供する。
【課題を解決するための手段】
【０００６】
上記課題を解決するため、本発明の医療用皮膚検査装置は、以下のような解決手段を提供する。
【０００７】
本発明の態様に係る医療用皮膚検査装置は、皮膚病変を診断する医療用皮膚検査装置であって、ダーモスコープを介して撮像されたダーモスコピー構造物に係るオリジナルな第１の皮膚画像を記憶する第１の記憶部と、前記第１の皮膚画像に対してハイダイナミックレンジ（ＨＤＲ）変換処理を行って、前記ダーモスコピー構造物が明瞭化かつ顕在化された第２の皮膚画像を得る画像変換部と、前記第２の皮膚画像を記憶する第２の記憶部と、前記第１の皮膚画像及び前記第２の皮膚画像の少なくとも一方を表示するように制御する表示制御部と、を備えることを特徴とする。
【０００８】
本発明の態様に係る皮膚病変を検査する方法は、ダーモスコープを介して撮像されたダーモスコピー構造物に係るオリジナルな第１の皮膚画像を記憶する第１の記憶工程と、前記第１の皮膚画像の１枚の画像に対してハイダイナミックレンジ（ＨＤＲ）変換処理を行って、前記ダーモスコピー構造物が明瞭化かつ顕在化された第２の皮膚画像を得る画像変換工程と、前記第２の皮膚画像を記憶する第２の記憶工程と、前記第１の皮膚画像及び前記第２の皮膚画像の少なくとも一方を表示するように制御する表示制御工程とを含むことを特徴とする。
【０００９】
本発明の態様に係る皮膚病変を検査するプログラムは、コンピュータを、ダーモスコープを介して撮像されたダーモスコピー構造物に係るオリジナルな第１の皮膚画像を記憶する第１の記憶手段と、前記第１の皮膚画像の１枚の画像に対してハイダイナミックレンジ（ＨＤＲ）変換処理を行って、前記ダーモスコピー構造物が明瞭化かつ顕在化された第２の皮膚画像を得る画像変換手段と、前記第２の皮膚画像を記憶する第２の記憶手段と、前記第１の皮膚画像及び前記第２の皮膚画像の少なくとも一方を表示するように制御する表示制御手段として機能させることを特徴とする。
本発明の他の特徴は、本明細書、及び添付図面の記載により、明らかにする。
【発明の効果】
【００１０】
本発明によれば、診断スキルの有無に依存することなく容易にダーモスコピー画像の所見を得ることができる医療用皮膚検査装置を提供することができる。
【図面の簡単な説明】
【００１１】
【図１】医師が接触型のダーモスコープを用いて患者の腕の皮膚患部（ダーモスコピー構造物）を診断している様子を示す図である。
【図２】接触型のダーモスコープを用いて皮膚患部（ダーモスコピー構造物）を観察する場合の光学的な原理を示す図であって、（ａ）は肉眼で直接観察する場合を、（ｂ）はダーモスコープを用いて観察する場合を示す。
【図３】本発明を適用した実施形態の医療用皮膚検査装置の概略構成を示すブロック図である。
【図４】図３の医療用皮膚検査装置による撮像処理に係る動作の一例を示すフローチャートである。
【図５】図３の医療用皮膚検査装置における画像強調処理に係る動作の一例を示すフローチャートである。
【図６】図５の画像強調処理における画素値の補正量の調整を説明するための図である。
【図７】図３の医療用皮膚検査装置における表示処理に係る動作の一例を示すフローチャートである。
【図８】色素細胞母斑を例として、ダーモスコープを介して撮像されたダーモスコピー構造物に係るオリジナルな第１の皮膚画像と、それをハイダイナミックレンジ（ＨＤＲ）変換処理した第２の皮膚画像を並置して表示する図である。
【図９】色素細胞母斑を例として、ハイダイナミックレンジ（ＨＤＲ）変換処理した第２の皮膚画像を用いて病変の進行を時系列的に表示する図である。
【図１０】本発明を適用した他の実施形態としての画像強調処理（ハイダイナミックレンジ（ＨＤＲ）変換処理）を説明するための図である。
【発明を実施するための形態】
【００１２】
以下、添付図面を参照して、本発明を実施するための形態（以下、実施形態）について詳細に説明する。なお、実施形態の説明の全体を通して同じ要素には同じ番号又は符号を付している。
【００１３】
図１は、医師が接触型のダーモスコープを用いて患者の腕の皮膚患部を診断している様子を示す図である。
【００１４】
ダーモスコープ１１とは、ハロゲンランプや白色ＬＥＤ等の光源を持つ拡大鏡である。光源により患者Ｓの患部にジェル等を塗布し、直接接触させて照射し、得られる画像を、例えば、目視又はダーモスコープ１１を装着したデジタルカメラで撮影したデータをデジタル変換し、ディスプレイ（後述する表示部７）等に表示して観察するものである。
【００１５】
ダーモスコピーを利用した観察対象として、メラノ―マ（悪性黒色腫）、色素細胞母斑（ホクロ）、基底細胞癌、脂漏性角化症などの色素性皮膚疾患及び血管腫、血腫などである。
【００１６】
一例として、メラノサイト病変であるメラノーマやホクロを診断するものとする。医師Ｄは、ダーモスコープ１１を用いて、患者Ｓの腕の皮膚患部を診断し、メラニン色素の分布を観察する。医師Ｄは、メラニン色素の分布を観察する場合、色素ネットワークと呼ばれる網目状の色素沈着パターンを観察する。色素ネットワークは、ホクロでみられる規則的な網目である定型的色素ネットワークとメラノーマでみられる不規則的な網目の非定形色素ネットワークに分かれる。定型的色素ネットワークは色調が均一で、辺縁で淡くぼやける傾向があり、網目が細く規則的な形状をしている。一方、非定形色素ネットワークは網目が太く、不均等であり、色調も縁片まで濃いものが多い。
【００１７】
図２（ａ）に示すように肉眼Ｅ又はルーペによる観察では、角質２０における乱反射があり、したがって、表面の凹凸は観察されるが、内部の色素分布や色合いがぼんやりとしか観察できない。一方、図２（ｂ）に示すように、ダーモスコープ１１を用い、患部に超音波検査用のジェルＪを付けるか変更フィルター等により反射を抑制すると表面の凹凸が無くなり、乱反射が消えるため表皮２１内から真皮２２浅層までの色素分布が観察できるようになる。よって、ダーモスコープ１１を利用することにより、肉眼Ｅでは、不鮮明であったメラニン色素２３を鮮明に観察することが可能となる。
【００１８】
これに対して、本発明を適用することにより、より鮮明な画像を提供することが可能となる。
【００１９】
図３は、本実施形態に係る医療用皮膚検査装置の概略構成を示すブロック図である。図３に示すように、実施形態の医療用皮膚検査装置１００は、撮像部１と、撮像制御部２と、画像データ生成部３と、記憶部４と、記録媒体制御部５と、画像変換部６と、表示部７と、操作入力部８と、中央制御部９とを備えている。また、撮像部１、撮像制御部２、画像データ生成部３、記憶部４、記録媒体制御部５、画像変換部６、表示部７及び中央制御部９は、バスライン１０を介して共通に接続されている。
【００２０】
撮像部１は、所定の被写体を撮像してフレーム画像を生成する。具体的には、撮像部１は、レンズ部１ａと、電子撮像部１ｂと、レンズ駆動部１ｃとを備えている。なお、撮像部１にダーモスコープ１１が装着される。
【００２１】
レンズ部１ａは、例えば、ズームレンズやフォーカスレンズ等の複数のレンズから構成されている。
【００２２】
電子撮像部１ｂは、例えば、ＣＣＤ（Charge  Coupled  Device）やＣＭＯＳ（Complementary  Metal-oxide  Semiconductor）等のイメージセンサ（撮像素子）から構成されている。そして、電子撮像部１ｂは、レンズ部１ａの各種レンズを通過した光学像を二次元の画像信号に変換する。レンズ駆動部１ｃは、例えば、図示は省略するが、ズームレンズを光軸方向に移動させるズーム駆動部、フォーカスレンズを光軸方向に移動させる合焦駆動部等を備えている。なお、撮像部１は、レンズ部１ａ、電子撮像部１ｂ及びレンズ駆動部１ｃに加えて、レンズ部１ａを通過する光の量を調整する絞り（図示略）を備えてもよい。
【００２３】
撮像制御部２は、撮像部１による被写体の撮像を制御する。即ち、撮像制御部２は、図示は省略するが、タイミング発生器、ドライバなどを備えている。そして、撮像制御部２は、タイミング発生器、ドライバにより電子撮像部１ｂを走査駆動して、レンズ部１ａを通過した光学像を電子撮像部１ｂにより所定周期毎に二次元の画像信号に変換させ、当該電子撮像部１ｂの撮像領域から１画面分ずつフレーム画像を読み出して画像データ生成部３に出力させる。
【００２４】
また、撮像制御部（撮像制御手段）２は、撮像部１に対して露出条件を変えながら略等しい構図で複数回撮像するよう制御する。即ち、撮像制御部２は、所謂、露出ブラケット撮像の実行を制御し、撮像部１による被写体の撮像の際の露出条件を逐次設定する。即ち、撮像制御部２は、所定のプログラム線図に基づいて、電子撮像部１ｂのシャッター速度（露光時間）や信号増幅率（ＩＳＯ感度）、絞りの絞り値等を調整する。そして、撮像制御部２は、例えば、適正露出を基準値として、この基準値に対してアンダー露出及びオーバー露出となるように、シャッター速度や信号増幅率や絞り値等を制御して、焦点距離を固定した状態で略等しい構図の複数枚の画像を撮像部１に連続して撮像させる。つまり、撮像制御部２は、略等しい構図の画像について明るさを複数段階に変更させて、複数枚の画像を撮像部１に連続して撮像させる。
【００２５】
なお、撮像制御部２は、レンズ部１ａのフォーカスレンズに代えて、電子撮像部１ｂを光軸方向に移動させてレンズ部１ａの合焦位置を調整するようにしてもよい。
【００２６】
また、撮像制御部２は、ＡＦ（自動合焦処理）、ＡＥ（自動露出処理）、ＡＷＢ（自動ホワイトバランス）等の被写体を撮像する際の条件の調整制御を行ってもよい。
【００２７】
画像データ生成部３は、電子撮像部１ｂから転送されたフレーム画像のアナログ値の信号に対してＲＧＢの色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。
【００２８】
カラープロセス回路から出力される輝度信号Ｙ及び色差信号Ｃｂ，Ｃｒは、図示しないＤＭＡコントローラを介して、バッファ記憶部として使用される記憶部４にＤＭＡ転送される。
【００２９】
記憶部４は、例えば、ＤＲＡＭ（Dynamic  Random  Access  Memory）等により構成され、画像変換部６や中央制御部９等によって処理されるデータ等を一時的に格納する。記憶部４には、第１の記憶部４１と、第２の記憶部４２とが割り付けられ、第１の記憶部４１には、ダーモスコープ１１を介して撮像されたダーモスコピー構造物に係るオリジナルな第１の皮膚画像が記憶され、第２の記憶部４２には、画像変換部６により得られるハイダイナミックレンジ（ＨＤＲ）変換処理を行って、ダーモスコピー構造物が明瞭化かつ顕在化された第２の皮膚画像が記憶される。第２の記憶部４２に記憶される第２の皮膚画像は、第１の皮膚画像と対応付けられて記憶される。画像変換部６は、第１の記憶部４１に記憶された過去のカルテの画像を用いてハイダイナミックレンジ（ＨＤＲ）変換処理を行うことも可能である。
【００３０】
ここで、第１の記憶部４１に、ダーモスコープ１１を介して撮像されたダーモスコピー構造物に係るオリジナルな第１の皮膚画像が記憶されており、この画像は後述する図４フローチャートのステップＳ１〜Ｓ３の処理、すなわち上述した合成処理を経て得られた合成画像であるが、過去のカルテのダーモスコピー構造物に係る画像を使用する場合は、当該過去の画像を第１の記憶部４１に記憶させ、図４ステップＳ４の画像強調処理へ進めばよい。その場合、過去のダーモスコピー構造物に係る画像がオリジナルな第１の皮膚画像となる。その後、画像変換部６によりハイダイナミックレンジ（ＨＤＲ）変換処理を行って、第２の皮膚画像が得られる。ハイダイナミックレンジ（ＨＤＲ）変換処理という用語は、図４ステップＳ３の合成処理とステップＳ４の強調処理の少なくとも一方または両方に適用するものとする。
【００３１】
記録媒体制御部５は、記録媒体Ｍが着脱自在に構成され、装着された記録媒体Ｍからのデータの読み出しや記録媒体Ｍに対するデータの書き込みを制御する。即ち、記録媒体制御部５は、所定の符号化方式（例えば、ＪＰＥＧ形式、モーションＪＰＥＧ形式、ＭＰＥＧ形式など）に従って符号化された静止画像の画像データや複数の画像フレームからなる動画像の画像データを記録媒体Ｍから読み出して画像変換部６に転送する。
【００３２】
なお、記録媒体Ｍは、例えば、不揮発性メモリ（フラッシュメモリ）等により構成されるが、一例であってこれに限られるものではなく、適宜任意に変更可能である。
【００３３】
画像変換部６は、合成画像生成部６ａと、画像取得部６ｂと、成分分離部６ｃと、第１生成部（第１生成手段）６ｄと、強調量取得部６ｅと、画素値補正部（補正手段）６ｆと、補正量調整部６ｇと、高周波成分取得部６ｈと、データ構成制御部（制御手段）６ｉと、第２生成部６ｊと、データ合成部６ｋとを具備している。なお、画像変換部６の各部は、例えば、所定のロジック回路から構成されているが、当該構成は一例であってこれに限られるものではない。
【００３４】
合成画像生成部６ａは、ダイナミックレンジを拡大させてなる合成画像を生成する。即ち、合成画像生成部６ａは、撮像制御部２によって制御されて得た複数の画像データを画素加算し、ダイナミックレンジを拡大させてなる画像データを生成するよう制御する。具体的には、合成画像生成部６ａは、略等しい構図で露出条件（例えば、適正露出、アンダー露出、オーバー露出等）を異ならせて複数回撮像された画像データを記憶部４から取得し、これら画像データの対応する画素の輝度成分どうしを加算することでダイナミックレンジを拡大させた合成画像の画像データ（ＹＵＶデータ）を生成する。なお、合成画像の画像データを生成する処理は、公知の技術であるので、ここでは詳細な説明を省略する。
【００３５】
画像取得部６ｂは、画像強調処理（後述）の処理対象となる画像を取得する。即ち、画像取得部（取得手段）６ｂは、処理対象となる画像の画像データを取得する。具体的には、画像取得部６ｂは、合成画像生成部６ａによって生成された合成画像の画像データを取得する。例えば、画像取得部６ｂは、合成画像生成部６ａによって生成された合成画像の画像データ（ＹＵＶデータ）の複製を記憶部４から取得したり、記録媒体Ｍに記録されている合成画像の画像データの複製を取得したりする。なお、後述する画像変換部６による各処理は、合成画像の画像データ自体に対して行われてもよいし、必要に応じて合成画像の画像データを所定の比率で縮小した所定サイズ（例えば、ＶＧＡサイズ等）の縮小画像データに対して行われてもよい。
【００３６】
成分分離部６ｃは、処理対象となる画像の成分を分離する。即ち、成分分離部（分離手段）６ｃは、画像取得部６ｂにより取得された所定の色空間の画像データを成分毎に分離する。具体的には、成分分離部６ｃは、例えば、画像取得部６ｂにより取得された合成画像の画像データを、輝度成分（輝度値）Y_hdrと色差成分U_hdr、V_hdrとに分離して出力する。
【００３７】
なお、輝度成分（輝度値）Y_hdrと色差成分U_hdr、V_hdrとに分離するようにしたが、一例であってこれに限られるものではなく、適宜任意に変更可能であり、例えば、ＲＧＢ色空間で各色成分毎に分離するようにしてもよい。
【００３８】
第１生成部６ｄは、複数段階の各解像度で平滑化された複数段階の画素値を生成する。即ち、第１生成部（第１生成手段）６ｄは、画像取得部６ｂによって取得された処理対象となる画像の画像データの画素値に対して平滑化処理及び解像度変換処理を繰り返し施し、複数段階の各解像度で平滑化された、複数段階の画素値を生成する。具体的には、第１生成部６ｄは、ガウシアンピラミッドを用いて、画像取得部６ｂによって取得され成分分離部６ｃにより分離された合成画像の輝度成分（輝度値）Y_hdrに対して平滑化処理及び解像度変換処理を繰り返し施し、複数段階の各解像度で平滑化された複数段階の画素値を生成する。
【００３９】
例えば、第１生成部６ｄは、合成画像の輝度成分Y_hdrに対して、平滑化処理及び解像度縮小処理を逐次繰り返していき、輝度成分Y_hdrのn段のガウシアンピラミッドY_G_pyramid［n］を生成する。つまり、当該ガウシアンピラミッドは、上位の階層（より大きい値の段）に行くほどより小さく平滑化されていき、輝度成分Y_hdrの大局的なコントラストが表現される。続けて、第１生成部６ｄは、輝度成分Y_hdrのn段のガウシアンピラミッドY_G_pyramid［n］の各段階毎にエッジ保存型フィルタを用いて平滑化し、n段の平滑化ガウシアンピラミッドY_G_pyramid_lpf［n］を生成する。ここで、エッジ保存型フィルタを用いることで、より小さい振幅のみを平滑化するようにする。
【００４０】
これにより、画素値補正部６ｆによる画素値の補正（後述）にて、平坦部については、周波数帯域がより低域のディテールが強調されることとなり、例えば、大きな雲の立体感の演出など、ダイナミックなコントラスト強調表現が可能となる。また、ガウシアンピラミッドの段数nが少なくても、周波数帯域が低域のディテールを強調させ易くすることができる。なお、ガウシアンピラミッドを生成する処理は、公知の技術であるので、ここでは詳細な説明を省略する。
【００４１】
強調量取得部６ｅは、複数段階の各解像度毎の画素値の強調量を取得する。即ち、強調量取得部（第２取得手段）６ｅは、画像取得部６ｂによって取得された処理対象の画像の画像データの画素値と第１生成部６ｄにより生成された各段階毎の画素値との差分に基づいて、各段階毎の画素値の強調量を取得する。具体的には、強調量取得部６ｅは、例えば、輝度成分Y_hdrのn段の平滑化ガウシアンピラミッドY_G_pyramid_lpf［n］の各々を元サイズに拡大して戻し、n段のリサイズ平滑化ガウシアンピラミッドY_G_pyramid_lpf_rsz［n］を生成する。そして、強調量取得部６ｅは、処理対象の合成画像の各画素毎の輝度成分Y_hdrと当該輝度成分Y_hdrのn段のリサイズ平滑化ガウシアンピラミッドY_G_pyramid_lpf_rsz［n］の各画素毎の輝度成分を「０」〜「１」の範囲の値でそれぞれ正規化し、それらの差分に基づいて輝度成分Y_hdrの各段階毎の強調量を取得する。
【００４２】
画素値補正部６ｆは、複数段階の各解像度毎の画素値を補正する。即ち、画素値補正部（補正手段）６ｆは、画像取得部６ｂによって取得された処理対象の画像の画像データの画素値と第１生成部６ｄにより生成された各段階毎の画素値との差分に基づいて、当該各段階毎に取得された画像データの画素値を補正する。
【００４３】
具体的には、画素値補正部６ｆは、例えば、強調量取得部６ｅによって取得された輝度成分Y_hdrの複数段階の各段階毎の強調量で、当該各解像度毎に輝度成分Y_hdrの画素値を強調する補正を行い、輝度成分Yのディテールを強調したn段の強調輝度成分Y_detail_up［n］を生成する。これにより、画素値補正部６ｆは、例えば、n段のリサイズ平滑化ガウシアンピラミッドY_G_pyramid_lpf_rsz［n］のうち、高解像度で平滑化レベルの低い下位段を用いると、周波数帯域が高域のディテールを強調した結果となる一方で、低解像度で平滑化レベルの高い上位段を用いると、周波数帯域が低域から高域の広い帯域のディテールを強調した結果となる。
【００４４】
補正量調整部６ｇと、複数段階の各解像度毎の画素値の補正量を調整する。即ち、補正量調整部（調整手段）６ｇは、画素値補正部６ｆによる複数段階の各解像度毎の画素値の補正量を調整する。具体的には、補正量調整部６ｇは、強調量取得部６ｅによって取得された輝度成分Y_hdrの複数段階の各段階毎の強調レベルを調整する（図６参照）。ここで、画素値の補正量の調整は、例えば、予め規定された複数の補正レベルの中で、ユーザによる操作入力部８の所定操作に基づいて指定された補正レベルで行われるようにしてもよいし、ユーザにより任意に指定されたレベルで行われるようにしてもよい。
【００４５】
例えば、図６は、入力画像の輝度値Ｙｉｎと強調後の出力画像の輝度値Ｙｏｕｔとの対応関係を示す図である。図６中、Detail設定幅Ｄの基準位置（例えば、中心）は、n段のリサイズ平滑化ガウシアンピラミッドY_G_pyramid_lpf_rsz［n］の各画素毎の輝度成分の値によって決定される。そして、補正量調整部６ｇは、処理対象の合成画像の各画素毎の輝度成分Y_hdrと当該輝度成分Y_hdrのn段のリサイズ平滑化ガウシアンピラミッドY_G_pyramid_lpf_rsz［n］の各画素毎の輝度成分との差分が小さいほど強調レベル（ゲインレベル）を大きくするようにすることにより、輝度成分Yのうち、振幅が小さいディテール（高域成分を多く含まない部分）ほど強調される結果となり、ディテールを豊かに表現することができる。その一方で、輝度成分Yのうち、もともと振幅が大きいディテール（高域成分を多く含む部分）は強調されず、不要な強調を抑制することができる。
【００４６】
なお、Detail設定幅Ｄを広くすると、高域成分に対しても高い強調効果が得られるようになるが、明暗差が大きい部分でのオーバーシュートやアンダーシュート発生の原因となる。
【００４７】
高周波成分取得部６ｈは、複数段階の各段階毎の画素値について高周波成分を取得する。即ち、高周波成分取得部（第３取得手段）６ｈは、画素値補正部６ｆによって補正された各段階毎の輝度成分Yについて、複数段階の解像度で高周波成分を取得する。具体的には、高周波成分取得部６ｈは、ラプラシアンピラミッドを用いて、複数段階の各段階毎の輝度成分Yについて高周波成分を取得する。
【００４８】
例えば、高周波成分取得部６ｈは、画素値補正部６ｆによって生成されたn段の強調輝度成分Y_detail_up［n］の各々について、n段のラプラシアンピラミッドを生成する。つまり、高周波成分取得部６ｈは、n段の強調輝度成分Y_detail_up［n］の各々を各群とする、n段×n群のラプラシアンピラミッドY_L_pyramid_detail_up［n］［n］を生成する。なお、ラプラシアンピラミッドを生成する処理は、n段の強調輝度成分Y_detail_up［n］の各段についてガウシアンピラミッドを生成し、隣り合う段同士で差分をとる公知の技術であるので、ここでは詳細な説明を省略する。
【００４９】
データ構成制御部６ｉは、画素値が強調された画像データを構成する。即ち、データ構成制御部６ｉは、画素値補正部６ｆによって補正された画素値を有する各段階毎の画像データの、各段階の解像度に応じた高周波数成分を利用して、取得された画像データの画素値が強調されたものを構成するよう制御する。具体的には、データ構成制御部６ｉは、高周波成分取得部６ｈによって取得された複数段階の高周波成分のうち、画素値補正部６ｆにより補正された画素値の解像度に応じた高周波成分を特定し、画素値が強調された画像データを構成するよう制御する。
【００５０】
例えば、データ構成制御部６ｉは、高周波成分取得部６ｈによって取得されたn段×n群のラプラシアンピラミッドY_L_pyramid_detail_up［n］［n］の各群から１段ずつ階層画像（輝度成分Ｙ）を選択し、n段の最終的なラプラシアンピラミッドY_L_pyramid_final［n］を生成する。ここで、選択方法としては、各群毎に群の値と同じ値の段の階層画像を選択する。例えば、データ構成制御部６ｉは、２群のY_L_pyramid_detail_up［n］［２］からは、２段目の階層画像Y_L_pyramid_detail_up［２］［２］を選択する。最後に、データ構成制御部６ｉは、n段のガウシアンピラミッドY_G_pyramid［n］のｎ段目の階層画像の複製を取得して、最上位段に組み込んで、n段の最終的なラプラシアンピラミッドY_L_pyramid_final［n］を生成する。
【００５１】
これにより、n段の最終的なラプラシアンピラミッドY_L_pyramid_final［n］のうち、下位層には、画素値補正部６ｆによる画素値の補正にてn段のリサイズ平滑化ガウシアンピラミッドY_G_pyramid_lpf_rsz［n］の下位層を用いて強調した周波数帯域が高域のディテール成分が格納される。また、中位層には、n段のリサイズ平滑化ガウシアンピラミッドY_G_pyramid_lpf_rsz［n］の中位層を用いて強調した周波数帯域が中域〜高域のディテール成分の中から中域に対応する部分のみを抽出したディテール成分が格納される。また、上位層には、n段のリサイズ平滑化ガウシアンピラミッドY_G_pyramid_lpf_rsz［n］の上位層を用いて強調した周波数帯域が低域〜高域のディテール成分の中から低域に対応する部分のみを抽出したディテール成分が格納される。つまり、n段の最終的なラプラシアンピラミッドY_L_pyramid_final［n］には、画素値補正部６ｆによる画素値の補正にて強調した様々な周波数帯域のディテール成分が帯域を重複させることなく格納されることとなる。
【００５２】
また、データ構成制御部６ｉは、n段の最終的なラプラシアンピラミッドY_L_pyramid_final［n］を再構成して、輝度成分Ｙ_final（輝度画像データ）を生成する。例えば、データ構成制御部６ｉは、上位段の階層画像から順に「拡大」及び「足し込み」の手順を繰り返す一般的な手法を用いて、ラプラシアンピラミッドY_L_pyramid_final［n］を再構成して、輝度成分Y_finalを完成させる。
【００５３】
第２生成部６ｊは、色差成分を強調した色差画像データを生成する。即ち、第２生成部（第２生成手段）６ｊは、データ構成制御部６ｉによって構成された画像データにおける輝度値の強調度合いに基づいて、成分分離部６ｃによって分離された色差成分U_hdr、V_hdrを強調した色差画像データを生成する。具体的には、第２生成部６ｊは、例えば、強調量取得部６ｅによって取得された輝度成分Y_hdrの強調量と略等しい度合いで色差成分U_hdr、V_hdrの値を増幅して、色差成分U_final、V_final（色差画像データ）を完成させる（図示略）。
【００５４】
ここで、輝度成分Y_hdrの強調量は、当該輝度成分Y_hdrの複数段階の各段階毎の強調量のうち、何れか一の段階に対応する強調量であってもよいし、複数段階に対応する強調量に基づいて所定の演算を行うことで算出された強調量であってもよい。
【００５５】
データ合成部６ｋは、輝度画像データと色差画像データとを合成する。即ち、データ合成部（合成手段）６ｋは、データ構成制御部６ｉによって構成された輝度成分Y_finalと第２生成部６ｊによって生成された色差成分U_final、V_finalとを合成して、画像処理済み画像HDR_finalの画像データを生成する。
【００５６】
表示部７は、表示パネル７ａと、表示制御部７ｂとを具備している。表示パネル７ａは、表示画面内に画像を表示する。なお、表示パネル７ａとしては、例えば、液晶表示パネルや有機ＥＬ表示パネルなどが挙げられるが、一例であってこれらに限られるものではない。
【００５７】
表示制御部７ｂは、記憶部４に一時的に格納されている表示用の画像データを読み出して、画像変換部６により復号された所定サイズの画像データに基づいて、所定の画像を表示パネル７ａの表示画面に表示させる制御を行う。具体的には、表示制御部７ｂは、ＶＲＡＭ（Video  Random  Access  Memory）、ＶＲＡＭコントローラ、デジタルビデオエンコーダなど（何れも図示略）を備えている。そして、デジタルビデオエンコーダは、画像変換部６により復号されてＶＲＡＭに記憶されている輝度信号Ｙ及び色差信号Ｃｂ，Ｃｒを、ＶＲＡＭコントローラを介してＶＲＡＭから所定の再生フレームレート（例えば、３０ｆｐｓ）で読み出して、これらのデータを元にビデオ信号を発生して表示パネル７ａに出力する。
【００５８】
例えば、表示制御部７ｂは、静止画撮像モードや動画撮像モードにて、撮像部１及び撮像制御部２による被写体の撮像により生成された複数のフレーム画像を所定のフレームレートで逐次更新しながらライブビュー画像Ｇを表示パネル７ａに表示させる。また、表示制御部７ｂは、静止画として記録される画像（レックビュー画像）を表示パネル７ａに表示させたり、動画として記録中の画像を表示パネル７ａに表示させたりする。
【００５９】
また、表示制御部７ｂは、例えば、図８に画面構成の一例が示されるように、第１の皮膚画像及び第２の皮膚画像の少なくとも一方を表示し、双方を表示するときは並置して表示するように制御する。さらに、表示制御部７ｂは、例えば、図９に画面構成の一例が示されるように、第１の皮膚画像及び／又は第２の皮膚画像をダーモスコピー構造物の病変進行に合わせ時系列的に表示するように制御してもよい。
【００６０】
操作入力部８は、当該医療用皮膚検査装置１００の所定操作を行うためのものである。具体的には、操作入力部８は、被写体の撮像指示に係るシャッタボタン、撮像モードや機能等の選択指示に係る選択決定ボタン、ズーム量の調整指示に係るズームボタン等（何れも図示略）の操作部を備え、当該操作部の各ボタンの操作に応じて所定の操作信号を中央制御部９に出力する。
【００６１】
中央制御部９は、医療用皮膚検査装置１００の各部を制御するものである。具体的には、中央制御部９は、図示は省略するが、ＣＰＵ（Central  Processing  Unit）等を備え、医療用皮膚検査装置１００用の各種処理プログラム（図示略）に従って各種の制御動作を行う。
【００６２】
＜撮像処理＞
次に、医療用皮膚検査装置１００の動作について、図４〜図９を参照して説明する。図４は、撮像処理に係る動作の一例を示すフローチャートである。
【００６３】
撮像処理は、ユーザによる操作入力部８の選択決定ボタンの所定操作に基づいて、メニュー画面に表示された複数の動作モードの中から強調画像撮像モードが選択指示された場合に、中央制御部９の制御下にて当該医療用皮膚検査装置１００の各部により実行される処理である。
【００６４】
図４に示すように、先ず、中央制御部９のＣＰＵは、ユーザによる操作入力部８のシャッタボタンの所定操作に基づいて撮像指示が入力されたか否かを判定する（ステップＳ１）。ステップＳ１における撮像指示が入力されたか否かの判定は、当該撮像指示が入力されたと判定されるまで（ステップＳ１；ＹＥＳ）、所定の時間間隔で繰り返し実行される。
【００６５】
ステップＳ１にて、撮像指示が入力されたと判定されると（ステップＳ１；ＹＥＳ）、中央制御部９のＣＰＵは、撮像制御指令を撮像制御部２に対して出力し、撮像制御部２は、撮像部１を制御して露出条件を変えながら連続して複数枚の画像を撮像させる（ステップＳ２）。具体的には、撮像制御部２は、例えば、適正露出を基準値として、この基準値に対してアンダー露出及びオーバー露出となるように、シャッター速度や信号増幅率や絞り値等を制御して、焦点距離を固定した状態で略等しい構図の複数枚（例えば、３枚等）の画像を撮像部１に連続して撮像させる。そして、画像データ生成部３は、連続して撮像された各画像の画像データを生成して、記憶部４に出力する。既に存在している過去の皮膚画像を使用する場合はこのステップＳ１〜Ｓ３は省略することができる。
【００６６】
次に、画像変換部６の合成画像生成部６ａは、記憶部４から連続して撮像された各画像の画像データを取得して、これら画像データの対応する画素の輝度成分どうしを加算することでダイナミックレンジを拡大させた合成画像の画像データ（ＹＵＶデータ）を生成する（ステップＳ３）。
【００６７】
続けて、画像変換部６は、合成画像のディテール及びコントラストを強調する画像強調処理（図５参照）を行う（ステップＳ４）。
【００６８】
＜画像強調処理＞
以下に、画像強調処理について図５を参照して説明する。図５は、画像強調処理に係る動作の一例を示すフローチャートである。図５に示すように、先ず、画像変換部６の画像取得部６ｂは、合成画像生成部６ａによって生成された合成画像の画像データの複製を取得して、成分分離部６ｃは、合成画像の画像データを輝度成分（輝度値）Y_hdrと色差成分U_hdr、V_hdrとに分離する（ステップＳ１１）。次に、第１生成部６ｄは、合成画像の輝度成分Y_hdrに対して、平滑化処理及び解像度縮小処理を逐次繰り返していき、輝度成分Y_hdrのn段のガウシアンピラミッドY_G_pyramid［n］を生成する（ステップＳ１２）。続けて、第１生成部６ｄは、輝度成分Y_hdrのn段のガウシアンピラミッドY_G_pyramid［n］の各段階毎に平滑化して、n段の平滑化ガウシアンピラミッドY_G_pyramid_lpf［n］を生成する（ステップＳ１３）。
【００６９】
次に、強調量取得部６ｅは、第１生成部６ｄによって生成された輝度成分Y_hdrのn段の平滑化ガウシアンピラミッドY_G_pyramid_lpf［n］の各々を元サイズに戻し、n段のリサイズ平滑化ガウシアンピラミッドY_G_pyramid_lpf_rsz［n］を生成する（ステップＳ１４）。続けて、強調量取得部６ｅは、合成画像の各画素毎の輝度成分Y_hdrと当該輝度成分Y_hdrのn段のリサイズ平滑化ガウシアンピラミッドY_G_pyramid_lpf_rsz［n］の各画素毎の輝度成分を「０」〜「１」の範囲の値でそれぞれ正規化し、それらの差分に基づいて輝度成分Y_hdrの各段階毎の強調量を取得する（ステップＳ１５）。
【００７０】
次に、画素値補正部６ｆは、強調量取得部６ｅによって取得された輝度成分Y_hdrの複数段階の各段階毎の強調量に基づいて、輝度成分Y_hdrを各解像度毎に補正して、n段の強調輝度成分Y_detail_up［n］を生成する（ステップＳ１６参照）。
【００７１】
次に、高周波成分取得部６ｈは、画素値補正部６ｆによって生成されたn段の強調輝度成分Y_detail_up［n］の各々を各群とする、n段×n群のラプラシアンピラミッドY_L_pyramid_detail_up［n］［n］を生成する（ステップＳ１７）。
【００７２】
次に、データ構成制御部６ｉは、高周波成分取得部６ｈによって取得されたn段×n群のラプラシアンピラミッドY_L_pyramid_detail_up［n］［n］の各群から１段ずつ階層画像（輝度成分Ｙ）を選択するとともに、n段のガウシアンピラミッドY_G_pyramid［n］のｎ段目の階層画像の複製を最上位段に組み込んで、n段の最終的なラプラシアンピラミッドY_L_pyramid_final［n］を生成する（ステップＳ１８）。続けて、データ構成制御部６ｉは、n段の最終的なラプラシアンピラミッドY_L_pyramid_final［n］の上位段の階層画像から順に「拡大」及び「足し込み」等を行って再構成し、輝度成分Y_finalを生成する（ステップＳ１９）。
【００７３】
次に、第２生成部６ｊは、強調量取得部６ｅによって取得された輝度成分Y_hdrの強調量と略等しい度合いで色差成分U_hdr、V_hdrの値を増幅して、色差成分U_final、V_finalを生成する（ステップＳ２０）。続けて、データ合成部６ｋは、輝度成分Y_finalと色差成分U_final、V_finalとを合成して、画像処理済み画像HDR_finalの画像データを生成する（ステップＳ２１）。そして、画像変換部６は、画像処理済み画像HDR_finalの画像データを所定の圧縮形式で符号化して、記憶部４に出力する。
【００７４】
図４に戻り、記録媒体制御部５は、記憶部４から符号化処理後の画像処理済み画像HDR_finalの画像データを取得して、記録媒体Ｍの所定の格納領域に記録させる（ステップＳ５）。これにより、撮像処理を終了する。
【００７５】
以上のように、実施形態の医療用皮膚検査装置１００によれば、取得画像の画像データの画素値（例えば、輝度値）と取得画像の画像データが複数段階の各解像度で平滑化された複数段階の画素値との差分に基づいて、当該各段階毎に取得された画像データの画素値を補正して、補正された画素値を有する各段階毎の画像データの、各段階の解像度に応じた高周波数成分を利用して、取得された画像データの画素値が強調されたものを構成することができる。
【００７６】
具体的には、ガウシアンピラミッドを用いて、取得画像の画像データの画素値に対して平滑化処理及び解像度変換処理を繰り返し施し、複数段階の各解像度で平滑化された複数段階の画素値を生成することができる。このとき、複数段階の各解像度でエッジ保存型フィルタを用いて平滑化することで、より少ない段数で低周波数域のコントラストを強調し易くすることができる。
【００７７】
また、取得画像の画像データの画素値と取得画像の画像データが複数段階の各解像度で平滑化された複数段階の画素値との差分に基づいて、各段階毎の画素値の強調量を取得し、取得された強調量で、当該各段階毎に取得された画像データの画素値を強調する補正を行うことができる。また、ラプラシアンピラミッドを用いて、補正された各段階毎の画素値について、複数段階の解像度で高周波成分を取得することができ、取得された複数段階の高周波成分のうち、補正された画素値の解像度に応じた高周波成分を特定し、画素値が強調された画像データを構成することができる。
【００７８】
従って、取得画像に対する画像処理に係る周波数の分解レベルを高くして、取得画像の細部に対応する画像領域だけでなく、コントラストの違いが目立ち難い平坦部（に対応する画像領域に対しても従来よりも適正な強調処理を施すことができ、これにより、取得画像のコントラストの差の大小に拘わらず適正な画像処理を行うことができる。
【００７９】
また、平滑化された複数段階の画素値の補正量を調整することができるので、ユーザ所望の補正度合いで複数段階の画素値を補正することができ、画像処理済み画像のディテール及びコントラストの強調の度合いを変更させることができる。
【００８０】
また、輝度値の強調度合いに基づいて、色差成分を強調した色差画像データを生成して、輝度値が強調された輝度画像データと色差画像データとを合成するので、取得画像の輝度だけでなく彩度も強調させることができ、画像処理済み画像のディテール及びコントラストの表現力を向上させることができる。
【００８１】
また、取得画像の画像データとして、略等しい構図の画像について明るさを複数段階に変更したものを画素加算してダイナミックレンジを拡大させてなる画像データを用いることで、画像処理済み画像のダイナミックレンジの拡大に伴う表現をより適正に行うことができる。具体的には、撮像部１に対して露出条件を変えながら略等しい構図で複数回撮像するよう制御されて得た複数の画像データを画素加算し、ダイナミックレンジを拡大させてなる画像データを生成することができる。
【００８２】
次に、画像データのダイナミックレンジを拡大させる他の例について図１０を参照しながら説明する。画像データとして、新たに撮影して画像を取得するのではなく、すでに保存されている患者の過去の画像データを使用する。従ってその場で患者を撮影しなくても、カルテとともに保存されている過去の画像データを基に診断に使用することができる。画像データはＪＰＥＧデータでもよいが、ＲＡＷデータの方がより高画質なＨＤＲ変換された画像データが得られる。
【００８３】
まず、過去の画像データである入力画像Ｇ１を色空間変換器２１によりＲＧＢ色空間からＣＩＥＬａｂ色空間に変換する。L軸が輝度成分を、a軸とb軸で色情報成分を表している。
入力画像データＧ１の輝度成分を、成分分解フィルタ（例えばbilateral filter, total variation filter等のエッジ保存型平滑フィルタ２２）により骨格成分（Base Layer）と詳細成分（Detail Layer）に分解する。詳しくは、輝度成分を、成分分解平滑フィルタ２２に通したものが骨格成分となり、加減算器２３により輝度成分から骨格成分を引いたものが詳細成分となる。
【００８４】
続いて圧縮器（attenuator）２４により骨格成分の振幅を小さくし、強調器（enhancer）２５により詳細成分の振幅を大きくする。圧縮器２４は、振幅を線形に伸張するものである。
そして、圧縮器２４の出力信号をエッジ強調フィルタ２６を通してエッジを強調した信号と、前記強調器２５の出力信号とを加算器２７で加算して変換された輝度成分とする。
【００８５】
色情報成分に対して、つまり、a軸とｂ軸に対して、符号１０ａに示すような強調特性を持つ強調器２８により振幅を大きくすることによって、色強調ができる。（ルートＲ１）。強調器２８は、符号１０ａに特性を示すように波形を非線形に伸張することによって強調を行うものである。
ここで、色情報成分に対して何もしなければ、つまり、強調器２８を通さなければ、色味が変わらないHDR変換された画像データＧ２２が得られる。（ルートＲ２）。
【００８６】
最後に、加算器２７の出力である変換された輝度成分の信号と、ルートＲ１またはルートＲ２を経由して出力される色情報成分の信号を、色空間変換器２９でＣＩＥＬａｂ色空間からＲＧＢ色空間に変換し、ＨＤＲ変換された画像データＧ２１を得る。ＣＩＥＬａｂ色空間の輝度成分であるＬ軸と、色情報成分であるａｂ軸は独立しているので、変換された輝度成分の信号（変換されたＬ）と変換された又はそのままの色情報成分の信号（変換されたａｂ又はａｂ）をＲＧＢ色空間に変換すれば、輝度成分と色情報成分が合成されHDR変換された画像データＧ２１又はＧ２２が得られる。
【００８７】
＜表示処理＞
本実施形態の医療用皮膚検査装置１００によれば、皮膚疾患のダーモスコピー構造物に関する所見を得ようと診断を試みる医師Ｄの要求に基づき、生成した画像の表示形態を変更することができる。すなわち、ダーモスコープ１１を介して撮像されたダーモスコピー構造物に係るオリジナルな第１の皮膚画像と、それをハイダイナミックレンジ（ＨＤＲ）変換処理した第２の皮膚画像をそれぞれ独立に表示し、あるいは並置して表示し、さらには、第１の皮膚画像及び／又は第２の皮膚画像をダーモスコピー構造物の病変進行に合わせ時系列的に表示することができる。
【００８８】
図７に表示制御処理の一例が示されている。図７によれば、診断を試みようとする医師Ｄは、操作入力部８を操作することにより、表示形態の一つを選択する（ステップＳ３１）。中央制御部９は、これを解読して表示制御部７ｂを制御する。表示制御部７ｂは、第１の記憶部４１、又は第２の記憶部４２、又はその両方を参照し、例えば、「１」のボタンが押下された場合（ステップＳ３１；“１”）は、ダーモスコープ１１を介して撮像されたダーモスコピー構造物に係るオリジナルな第１の皮膚画像、又は、それをハイダイナミックレンジ（ＨＤＲ）変換処理した第２の皮膚画像を表示パネル７ａに表示する（ステップＳ３２）。
【００８９】
一方、「２」のボタンが押下された場合（ステップＳ３１；“２”）、表示制御部７ｂは、上記した第１皮膚画像と第２皮膚画像とを表示パネル７ａに並置して表示する（ステップＳ３３）。ここで、記憶部４に第２の皮膚画像が第１の皮膚画像と対応付けられて記憶されている。図８に、色素細胞母斑を例として、ダーモスコープ１１を介して撮像されたダーモスコピー構造物に係るオリジナルな第１の皮膚画像と、それをハイダイナミックレンジ（ＨＤＲ）変換処理した第２の皮膚画像を並置して表示する例が示されている。図８に示す表示形態によれば、表示制御部７ｂは、第１の皮膚画像及び第２の皮膚画像の少なくとも一方を表示し、双方を表示するときは並置して表示パネル７ａに表示するように制御する。したがって、後者の場合、診断を試みようとする医師Ｄは、ダーモスコープ１１を介して撮像されたダーモスコピー構造物に係るオリジナルな第１の皮膚画像と、それをハイダイナミックレンジ（ＨＤＲ）変換処理した第２の皮膚画像とを比較して所見を得ることができ、スキルの有無にかかわらず把握可能な所見の数が増えることから正確な診断を行うことができる。
【００９０】
また、「３」のボタンが押下された場合（ステップＳ３１；“３”）、表示制御部７ｂは、第１の皮膚画像及び／又は第２の皮膚画像をダーモスコピー構造物の病変進行に合わせ時系列的に表示する（ステップＳ３４）。図９に、色素細胞母斑を例として、ハイダイナミックレンジ（ＨＤＲ）変換処理した第２の皮膚画像を用いて病変の進行を時系列的に表示する形態が示されている。したがって、診断を試みようとする医師Ｄは、スキルの有無にかかわらず把握可能な所見の数が増えることから正確な診断を行うことができることは勿論のこと、病変進行の度合いを逐一チェックすることができ、したがって、ダーモスコピーのより多くの構造を病変進行とともに正確に把握して診療行為に役立てることができる。表示形態の選択を変更する場合（ステップＳ３５；“ＹＥＳ”）、再度ステップＳ３１に戻り、表示形態の選択をする。
【００９１】
また、本発明は、上記実施形態に限定されることなく、本発明の趣旨を逸脱しない範囲において、種々の改良並びに設計の変更を行ってもよい。例えば、上記実施形態では、合成画像の各画素毎の輝度成分Y_hdrとn段のリサイズ平滑化ガウシアンピラミッドY_G_pyramid_lpf_rsz［n］の各画素毎の輝度成分との差分が小さいほど強調レベルを大きくするようにするようにしたが、一例であってこれに限られるものではなく、例えば、差分が大きいほど強調レベルを大きくするようにしても良い。この場合、例えば、輝度成分Yのうち、振幅が大きいディテールほど強調され、その一方で、振幅が小さいディテールは強調されないようにすることができる。
【００９２】
さらに、医療用皮膚検査装置１００の構成は、上記実施形態に例示したものは一例であり、これに限られるものではない。例えば、外部の撮像手段により撮像された画像を取得して、画像強調処理を行うようにしてもよいし、表示制御手段は表示すべき画像を表示モニタに送る場合の他、プリンタに印刷のために送る場合や、メモリカード等の記憶媒体に出力して外部の表示装置で再生して表示させる場合も適用される。
【００９３】
加えて、上記実施形態にあっては、第１の記憶手段、画像変換手段、第２の記憶手段、表示制御手段としての機能を、中央制御部９の制御下にて、第１の記憶部４１、画像変換部６、第２の記憶部４２、表示制御部７ｂが駆動することにより実現される構成としたが、これに限られるものではなく、中央制御部９によって所定のプログラム等が実行されることにより実現される構成としてもよい。即ち、プログラムを記憶するプログラムメモリ（図示略）に、第１の記憶ルーチン、画像変換ルーチン、第２の記憶ルーチン、表示制御ルーチンを含むプログラムを記憶しておく。そして、第１の記憶ルーチンにより中央制御部９のＣＰＵを、ダーモスコープを介して撮像されたダーモスコピー構造物に係るオリジナルな第１の皮膚画像を記憶する手段として機能させるようにしてもよい。また、画像変換ルーチンにより中央制御部９のＣＰＵを、第１の皮膚画像の１枚の画像に対してハイダイナミックレンジ（ＨＤＲ）変換処理を行って、ダーモスコピー構造物が明瞭化かつ顕在化された第２の皮膚画像を得る手段として機能させるようにしてもよい。また、第２の記憶ルーチンにより中央制御部９のＣＰＵを、第２の皮膚画像を記憶する手段として機能させるようにしてもよい。また、表示制御ルーチンにより中央制御部９のＣＰＵを、第１の皮膚画像及び第２の皮膚画像の少なくとも一方を表示するように制御する手段として機能させるようにしてもよい。
【００９４】
同様に、第１の生成手段、補正手段、制御手段についても、中央制御部９のＣＰＵによって所定のプログラム等が実行さることにより実現される構成としてもよい。
【００９５】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００９６】
本発明の実施形態を説明したが、本発明の範囲は、上述の実施の形態に限定するものではなく、特許請求の範囲に記載された発明の範囲とその均等の範囲を含む。以下に、この出願の願書に最初に添付した特許請求の範囲に記載した発明を付記する。付記に記載した請求項の項番は、この出願の願書に最初に添付した特許請求の範囲のとおりである。
〔付記〕
＜請求項１＞
皮膚病変を診断する医療用皮膚検査装置であって、
ダーモスコープを介して撮像されたダーモスコピー構造物に係るオリジナルな第１の皮膚画像を記憶する第１の記憶部と、
前記第１の皮膚画像に対してハイダイナミックレンジ（ＨＤＲ）変換処理を行って、前記ダーモスコピー構造物が明瞭化かつ顕在化された第２の皮膚画像を得る画像変換部と、
前記第２の皮膚画像を記憶する第２の記憶部と、
前記第１の皮膚画像及び前記第２の皮膚画像の少なくとも一方を表示するように制御する表示制御部と、
を備えることを特徴とする医療用皮膚検査装置。
＜請求項２＞
前記画像変換部が、
前記第１の皮膚画像の１枚の画像に対してハイダイナミックレンジ（ＨＤＲ）変換処理を行って、前記ダーモスコピー構造物が明瞭化かつ顕在化された第２の皮膚画像を得ることを特徴とする請求項１に記載の医療用皮膚検査装置。
＜請求項３＞
前記画像変換部が、
前記第１の皮膚画像の１枚の画像の画素値に対して平滑化処理及び解像度変換処理を繰り返し施し、複数段階の画素値を生成する第１の生成手段と、
前記第１の皮膚画像の画素値と前記第１の生成手段により生成された段階ごとの画素値との差分に基づいて、段階ごとに前記第１の皮膚画像の画素値を補正する補正手段と、
前記補正手段によって補正された画素値を有する段階ごとの解像度に応じた高周波数成分を利用して、前記第１の皮膚画像の画素値が強調された前記第２の皮膚画像を構成するよう制御する制御手段と、
を備えることを特徴とする請求項１または２に記載の医療用皮膚検査装置。
＜請求項４＞
前記第１の記憶部が前記第１の皮膚画像として既に撮像されカルテとして保存されていた過去の画像を記憶し、
前記画像変換部が当該過去の画像を用いてハイダイナミックレンジ（ＨＤＲ）変換処理を行う
ことを特徴とする請求項１ないし３のいずれか１項に記載の医療用皮膚検査装置。
＜請求項５＞
さらに、前記ダーモスコープに接続された撮像部を備え、
前記第１の記憶部が前記第１の皮膚画像として前記撮像部により撮像された現在の画像を記憶し、
前記画像変換部が当該現在の画像を用いてハイダイナミックレンジ（ＨＤＲ）変換処理を行う
ことを特徴とする請求項ないし４のいずれか１項に記載の医療用皮膚検査装置。
＜請求項６＞
前記表示制御部が前記第１の皮膚画像及び前記第２の皮膚画像の双方を並置して表示するように制御することを特徴とする請求項１ないし５のいずれか１項に記載の医療用皮膚検査装置。
＜請求項７＞
前記表示制御部が前記第１の皮膚画像及び／又は前記第２の皮膚画像を前記ダーモスコピー構造物の病変進行に合わせ時系列的に表示するように制御することを特徴とする請求項１ないし６のいずれか１項に記載の医療用皮膚検査装置。
＜請求項８＞
前記第２の皮膚画像が前記第１の皮膚画像と対応付けられて記憶されることを特徴とする請求項１ないし７のいずれか１項に記載の医療用皮膚検査装置。
＜請求項９＞
皮膚病変を検査する方法であって、
ダーモスコープを介して撮像されたダーモスコピー構造物に係るオリジナルな第１の皮膚画像を記憶する第１の記憶工程と、
前記第１の皮膚画像に対してハイダイナミックレンジ（ＨＤＲ）変換処理を行って、前記ダーモスコピー構造物が明瞭化かつ顕在化された第２の皮膚画像を得る画像変換工程と、
前記第２の皮膚画像を記憶する第２の記憶工程と、
前記第１の皮膚画像及び前記第２の皮膚画像の少なくとも一方を表示するように制御する表示制御工程とを含むことを特徴とする方法。
＜請求項１０＞
皮膚病変を検査するプログラムであって、
コンピュータを、
ダーモスコープを介して撮像されたダーモスコピー構造物に係るオリジナルな第１の皮膚画像を記憶する第１の記憶手段と、
前記第１の皮膚画像に対してハイダイナミックレンジ（ＨＤＲ）変換処理を行って、前記ダーモスコピー構造物が明瞭化かつ顕在化された第２の皮膚画像を得る画像変換手段と、
前記第２の皮膚画像を記憶する第２の記憶手段と、
前記第１の皮膚画像及び前記第２の皮膚画像の少なくとも一方を表示するように制御する表示制御手段として機能させることを特徴とするプログラム。
＜請求項１１＞
請求項２記載の医療用皮膚検査装置であって、
前記画像変換部は、
前記前記第１の皮膚画像を入力し、輝度成分と色成分に分離する第１の分離部と、
前記分離された輝度成分を骨格部分と詳細部分に分離する第２の分離部と、
前記骨格成分を圧縮する圧縮部と、
前記詳細成分を強調する第１の強調部と、
前記骨格成分が圧縮部された輝度成分と前記詳細成分が強調された輝度成分を合成する第１の合成部と、
を具備することを特徴とする医療用皮膚検査装置。
＜請求項１２＞
前記画像変換部は、
前記分離された色情報成分を、前記第１の合成部で合成された輝度成分と合成して前記第２の皮膚画像を得る第２の合成部を更に備えることを特徴とする請求項１１記載の医療用皮膚検査装置。
＜請求項１３＞
前記画像変換部は、
前記分離された色情報成分を、振幅を強調する第２の強調部に入力し、この強調された色情報成分を前記合成部で合成された輝度成分と合成して前記第２の皮膚画像を得る第２の合成部を更に備えることを特徴とする請求項１１記載の医療用皮膚検査装置。
＜請求項１４＞
前記第１の強調部は、入力された信号の振幅を線形に伸張するように構成され、前記第２の強調部は、入力された信号の振幅を非線形に伸張するように構成されていることを特徴とする請求項１３記載の医療用皮膚検査装置。
＜請求項１５＞
前記画像変換部の前記第１の分離部は、前記入力した第１の皮膚画像を、ＲＧＢ色空間からＣＩＥＬａｂ色空間に変換する第１の色空間変換部を備え、ＣＩＥＬａｂ色空間のＬ軸を輝度成分として前記第２の分離部に入力することを特徴とする請求項１１記載の医療用皮膚検査装置。
＜請求項１６＞
前記画像変換部の前記第２の合成部は、ＣＩＥＬａｂ色空間からＲＧＢ色空間に変換する第２の色空間変換部から構成されることを特徴とする請求項１１記載の医療用皮膚検査装置。
【符号の説明】
【００９７】
１００  医療用皮膚検査装置
１      撮像部
２      撮像制御部
６      画像変換部
６ａ    合成画像生成部
６ｂ    画像取得部
６ｃ    成分分離部
６ｄ    第１生成部（第１の生成手段）
６ｅ    強調量取得部
６ｆ    画素値補正部（補正手段）
６ｇ    補正量調整部
６ｈ    高周波成分取得部
６ｉ    データ構成制御部（制御手段）
６ｊ    第２生成部
６ｋ    データ合成部
９      中央制御部
１１    ダーモスコープ
２１    色空間変換器
２２    エッジ保存型平滑フィルタ
２３    加減算器
２４    圧縮器
２５    強調器
２６    エッジ強調フィルタ
２７    加算器
２８    強調器
２９    色空間変換器
【図１】
2015164512.tif 000003
【図２】
2015164512.tif 000004
【図３】
2015164512.tif 000005
【図４】
2015164512.tif 000006
【図５】
2015164512.tif 000007
【図６】
2015164512.tif 000008
【図７】
2015164512.tif 000009
【図８】
2015164512.tif 000010
【図９】
2015164512.tif 000011
【図１０】
2015164512.tif 000012
【手続補正書】
【提出日】平成27年1月28日(2015.1.28)
【手続補正１】
【補正対象書類名】特許請求の範囲
【補正対象項目名】請求項１１
【補正方法】変更
【補正の内容】
【請求項１１】
皮膚病変を診断する医療用皮膚検査装置であって、
ダーモスコープを介して撮像されたダーモスコピー構造物に係るオリジナルな第１の皮膚画像を記憶する第１の記憶部と、
前記第１の皮膚画像に対して強調変換処理を行って、前記ダーモスコピー構造物が明瞭化かつ顕在化された第２の皮膚画像を得る画像変換部と、
前記第２の皮膚画像を記憶する第２の記憶部と、
前記第１の皮膚画像及び前記第２の皮膚画像の少なくとも一方を表示するように制御する表示制御部と、
を備え、
前記画像変換部は、
前記第１の皮膚画像の１枚の画像に対して強調変換処理を行って、前記ダーモスコピー構造物が明瞭化かつ顕在化された第２の皮膚画像を得るとともに、
前記前記第１の皮膚画像を入力し、輝度成分と色情報成分に分離する第１の分離部と、
前記分離された輝度成分を骨格部分と詳細部分に分離する第２の分離部と、
前記骨格成分を圧縮する圧縮部と、
前記詳細成分を強調する第１の強調部と、
前記骨格成分が圧縮部された輝度成分と前記詳細成分が強調された輝度成分を合成する第１の合成部と、
を具備することを特徴とする医療用皮膚検査装置。